(57)【要約】【課題】グリーンへのアプローチショットをゴルフプレイヤの得意な位置から打つために、コースをどのように攻めるかを決定する判断に必要な情報を表示し、ゴルフプレイを円滑に進行させることが可能なゴルフプレイ支援装置を提供する。【解決手段】ゴルフプレイヤが携帯する端末10を備え、端末10は、ゴルフコースのレイアウト図20と、レイアウト図20内のグリーンＧの面重心地点31を中心点とした円弧状の攻略目安線33と、を表示するディスプレイ面２を具備する。【選択図】図２
2011258066.tif 000002
【特許請求の範囲】
【請求項１】
ゴルフプレイヤが携帯する端末（10）を備え、
上記端末（10）は、ゴルフコースのレイアウト図（20）と、該レイアウト図（20）内のグリーン（Ｇ）の面重心地点（31）を中心点とした円弧状の攻略目安線（33）と、を表示するディスプレイ面（２）を具備することを特徴とするゴルフプレイ支援装置。
【請求項２】
上記ディスプレイ面（２）は、上記面重心地点（31）からの距離が相違する複数の上記攻略目安線（33）（33）（33）を表示し、該複数の攻略目安線（33）（33）（33）をもって目安線群（36）を形成した請求項１記載のゴルフプレイ支援装置。
【請求項３】
上記ディスプレイ面（２）は、上記レイアウト図（20）上に、上記目安線群（36）と、ゴルフプレイヤの現在地点（21）と、そのプレイヤのゴルフクラブの番手（24）毎のボール到着予測位置を上記現在地点（21）を中心点として同心円弧状に表示した飛距離予想線群（26）と、を表示する請求項２記載のゴルフプレイ支援装置。
【発明の詳細な説明】
【技術分野】
【０００１】
本発明は、ゴルフプレイを支援する装置に関する。
【背景技術】
【０００２】
従来、ＧＰＳ衛星を利用して現在位置からピン迄の距離を表示して、ゴルフプレイの参考となるようにゴルフプレイヤを支援するものがある（例えば、特許文献１参照）。
【先行技術文献】
【特許文献】
【０００３】
【特許文献１】特開２００４−１０５３５０号公報
【発明の概要】
【発明が解決しようとする課題】
【０００４】
ゴルフプレイヤは、ショットしたボールの飛距離や方向が安定している得意な距離と、ボールの飛距離や方向が不安定な不得意な距離と、がある。特に、グリーンオンを狙ったアプローチショットを得意な距離で打ちたいため、グリーン近傍のどの辺りにボールを到達させれば、次のショットで、自分の得意な距離でグリーンオンを狙えるかといった戦略を考えている。
しかし、従来のゴルフプレイ支援装置では、単に、現在位置からピンまでの距離がわかっても、グリーン近傍のどの辺りにボールを到達させれば、自分の得意な距離を残せ、次のグリーンオンを狙うショット（アプローチショット）が有利になるかを知ることができず、戦略の決定に多大な時間が費やされてしまうといった問題があった。
【０００５】
そこで、本発明は、グリーンへのアプローチショットをゴルフプレイヤの得意な位置から打つために、コースをどのように攻めるかを決定する判断に必要な情報を表示し、ゴルフプレイを円滑に進行させることが可能なゴルフプレイ支援装置の提供を目的とする。
【課題を解決するための手段】
【０００６】
上記目的を達成するために、本発明のゴルフプレイ支援装置は、ゴルフプレイヤが携帯する端末を備え、上記端末は、ゴルフコースのレイアウト図と、該レイアウト図内のグリーンの面重心地点を中心点とした円弧状の攻略目安線と、を表示するディスプレイ面を具備するものである。
また、上記ディスプレイ面は、上記面重心地点からの距離が相違する複数の上記攻略目安線を表示し、該複数の攻略目安線をもって目安線群を形成したものである。
また、上記ディスプレイ面は、上記レイアウト図上に、上記目安線群と、ゴルフプレイヤの現在地点と、そのプレイヤのゴルフクラブの番手毎のボール到着予測位置を上記現在地点を中心点として同心円弧状に表示した飛距離予想線群と、を表示するものである。
【発明の効果】
【０００７】
本発明によれば、グリーン近傍のどの辺りにボールを到達させれば、自分の得意な距離を残せ、次のグリーンオンを狙うショット（アプローチショット）が有利になるかを知ることができる。戦略の決定を容易かつ迅速におこなうことができ、ゴルフプレイを円滑に進行させることができる。得意な距離からグリーンを狙うショットができスコアの向上に貢献できる。
【図面の簡単な説明】
【０００８】
【図１】本発明の実施の一形態を示すブロック図である。
【図２】作用説明図である。
【図３】作用説明図である。
【図４】作用説明図である。
【発明を実施するための形態】
【０００９】
以下、図示の実施形態に基づき本発明を詳説する。
本発明のゴルフプレイ支援装置は、ゴルフプレイヤが携帯する図１乃至図４に示すような端末10を備えている。
端末10は、ＧＰＳ等の測位衛星からの電波を受信可能な受信部５と、緯度・経度に関連付けられた多数のゴルフコースのレイアウト図20を保持可能な記憶手段４と、受信部５が受信した電波からプレイヤの現在地点21の緯度・経度を算出するＣＰＵ等の処理部１と、レイアウト図20を表示するディスプレイ面２と、処理部１に指示（命令）与え端末10を操作するための操作部３と、方位センサ部６及び加速度センサ部７を有する方向センサ部８と、図示省略の乾電池や充電式電池等の内蔵電源と、を具備している。
【００１０】
緯度・経度に関連付けられたゴルフコースのレイアウト図20とは、ティグランドの位置、グリーンＧの位置、池や林及びバンカー等の障害物の位置、フェアウェイとラフの境界線、ＯＢ境界線、グリーンＧの外周縁、グリーンＧの面重心地点31、ティグランドの面重心地点から所定距離内でティグランドよりも大きな範囲であるティグランド範囲等に、緯度・経度を対応させた情報を有するコース（ホール）の平面図である。
【００１１】
また、記憶手段４は、情報の読み書きが繰り返し可能なＲＡＭ（ランダムアクセスメモリ）やフラッシュメモリ等の内部記憶部４Ａと、メモリカード等の記憶用の小型電子媒体９に記録されている情報を保持可能なリーダライタ等の補助記憶装置である補助記憶部４Ｂを有している。小型電子媒体９は端末10に着脱可能に内蔵されている。
そして、記憶手段４は、グリーンＧの面重心地点31からの距離が相違する複数の円弧状の攻略目安線（レイアップ線）33，33，33を記憶している。また、操作部３によってプレイヤが入力した得意な距離及び番手24を記憶させるも好ましい。
【００１２】
また、記憶手段４は、複数人のゴルフプレイヤのゴルフクラブ番手24毎の飛距離情報を保持している。各プレイヤに識別情報（ＩＤ番号、暗証番号、氏名等）又は飛距離情報の名称に関連付けて保持している。ゴルフプレイヤのゴルフクラブ番手24毎の飛距離情報とは、ゴルフプレイヤが打った番手24毎の過去の最大飛距離又は平均飛距離であって、例えば、ドライバＤであれば２５０ヤード、３番アイアン３Ｉであれば１８０ヤード、といった情報である。
【００１３】
操作部３は、数字を入力可能な数字キー、ディスプレイ面２に表示された項目を選択可能な方向（矢印）キー、等を有している。また、プレイヤの飛距離情報、得意なショットの距離情報（得意距離情報）、得意な番手24の情報（得意番手情報）を入力可能に設けられている。また、ディスプレイ面２に表示されたレイアウト図20や項目を、選択、拡大、縮小表示等の処理命令を選択入力可能に設けられている。
【００１４】
方向センサ部８は、方位センサ部６及び加速度センサ部７によって端末10の向いている方向を検出可能に設けられ、方向信号として処理部１に送信可能である。
【００１５】
処理部１は、受信部５が受信した電波からプレイヤ（端末10）の現在地点21の緯度・経度を算出する。また、現在地点21の緯度・経度がティグランド範囲に含まれるか否か判定し、含まれていれば、現在地点21の緯度・経度から該当するレイアウト図20を記憶手段４内のデータから選定する。また、選定されたレイアウト図20上に、そのレイアウト図20のグリーンＧに対応する複数の攻略目安線33，33，33をディスプレイ面２に表示させる。また、方向センサ部８からの方向信号を方向直線22としてディスプレイ面２に表示させる。番手24毎の飛距離情報から、現在地点21を中心点とする円弧状の飛距離予想線23を、番手24毎に各々演算し、複数の飛距離予想線23，23をディスプレイ面２に表示させる。
【００１６】
ディスプレイ面２は、複数の攻略目安線33，33，33をもって、同心円弧状の目安線群36を形成する（表示する）。攻略目安線33の近傍又は重ねて、その攻略目安線33に対応する面重心地点31からの距離（半径）を表示する。
また、複数の飛距離予想線23をもって、同心円弧状の飛距離予想線群26を形成する（表示する）。飛距離予想線23の近傍又は重ねて、その飛距離予想線23に対応する予想飛距離と番手24を表示する。
【００１７】
さらに、飛距離予想線群26と方向直線22との複数の交点を到達予測地点25，25として表示する。また、飛距離予想線23と、予め得意な距離として記憶手段４に記憶させていた距離に対応する攻略目安線33と、の接点、又は、その得意な距離の攻略目安線33と到達予測地点25との交点、を攻略地点（アプローチポイント）29として表示させるも好ましい。また、方向直線22と得意な距離の攻略目安線33の交点を攻略地点29として表示させるも好ましい。なお、面重心地点31や現在地点21といった中心点からの距離が短い（半径の小さい）攻略目安線33や飛距離予想線23は、円形として表示される場合もある。即ち、本発明において、円弧状に表示されるとは円形に表示されることを含む。
【００１８】
攻略目安線33は、レイアウト図20のグリーンＧに関連づけて予め記憶手段４に記憶させておき、処理部１によってレイアウト図20と共に選定され、ディスプレイ面２に表示される場合と、操作部３にて入力された数値や選択項目に応じて、処理部１が記憶手段４に記憶されているグリーンＧの面重心地点31を中心点として演算して、ディスプレイ面２にプレイヤの所望する距離及び本数に対応して表示される場合がある。
【００１９】
なお、ディスプレイ面２に、飛距離予想線23と攻略目安線33と方向直線22の色を相違させて表示するのが好ましい。また、線同士の交点や接点を点灯又は点滅するように強調表示するも好ましい。また、現在地点21からボールが飛び過ぎてフェアウェイやグリーンＧを大きく越えるような飛距離情報を有する番手24の飛距離予想線23は表示させないのが望ましい。また、面重心地点31やフェアウェイに到達が困難な飛距離の小さ過ぎる飛距離予想線23は表示させないのが望ましい。
【００２０】
次に、本発明のゴルフプレイ支援装置の作用（使用方法）について説明する。
端末10を携帯しているゴルフプレイヤが電源を入れると、受信部５が測位衛星からの電波を受信する。処理部１は、受信した電波からプレイヤの現在地点21の緯度・経度を算出する。さらに、現在地点21の緯度・経度に該当するゴルフ場のコースのレイアウト図20を、記憶手段４から選定する。
【００２１】
記憶手段４に保持されている飛距離情報と現在地点21から、現在地点21を中心とする各番手24毎の飛距離予想線23を演算する。また、方向センサ部８によって検出された方向を方向直線22としてディスプレイ面２に表示させる。また、選定されたレイアウト図20のグリーンＧに対応する攻略目安線33を記憶手段４から選定する。或いは、操作部３から入力された距離（半径数値）に基づいて攻略目安線33を演算し、ディスプレイ面２に表示させる。
【００２２】
図２に示すように、ディスプレイ面２には、選定されたレイアウト図20上に、現在地点21、方向直線22、複数の飛距離予想線23，23から成る飛距離予想線群26、複数の到達予測地点25，25、グリーンＧの面重心地点31、複数の攻略目安線33，33，33から成る目安線群36、が表示される。また、現在位置21から面重心地点31までの距離、現在位置21から最も近いグリーンＧの縁部（フロントエッジ）までの距離、ホールの規定打数（パー数）、時刻、方角等が表示される。
【００２３】
ディスプレイ面２は、ゴルフプレイヤ（端末10）が向いている方向にボールをドライバＤ又は３番ウッドで打とうとすると、到達予測地点25，25の形成によって、フェアウェイから外れる、又は、池に落ちる可能性が高いことをゴルフプレイヤに視認させ、戦略の再検討を促す。
【００２４】
図３に示すように、ゴルフプレイヤが端末10の方向を変えると、その方向に打てばボールがフェアウェイに到達可能なことがわかる。さらに、ゴルフプレイヤが安全策を考えているならば、ドライバＤでの到達予測地点25ｂはフェアウェイが狭くＯＢの危険があるので、３番ウッド３Ｗで到達予測地点25ａを狙って打つのが望ましいことを視認させる。
【００２５】
図４に示すように、ボールが飛んだ位置に移動すると、ディスプレイ面２には、方向直線22と飛距離予想円弧群26と目安線群36が重ねて（交わって）表示される。
方向直線22の方向を向いて２番アイアン２Ｉでショットすれば、グリーンＧに最もボールを接近させることが可能であることがわかる。
しかし、ゴルフプレイヤは、ショットしたボールの飛距離や方向が安定している得意な距離と、ボールの飛距離や方向が不安定な不得意な距離と、がある。特に、グリーンオンを狙ったアプローチショットは得意な距離で打ちたいため、グリーン近傍の、どの辺りにボールを到達させれば、次に、自分の得意な距離でグリーンオンを狙えるか戦略を考えている。
そこで、目安線群36をみると、面重心地点31からの距離が即座に視認でき、グリーン近傍のどの辺りにボールを到達させれば自分の得意な距離を残せるかがわかる。
【００２６】
例えば、ゴルフプレイヤの得意な距離が１００ヤードであったとすれば、目安線群36の内、面重心地点31からの距離が１００ヤードの位置を示す攻略目安線33ａ上の地点を狙えば良いことが直ぐにわかる。
【００２７】
さらに、目安線群36と方向直線22を組み合わせて見れば、１００ヤード地点を狙おうとして端末10の方向を変えると、２本の破線で示す方向を変えた場合の方向直線22，22の間を狙えば良いことがわかる。破線で示す２本の方向直線22，22の外方範囲はフェアウェイから外れる可能性が高く危険である。即ち、得意な距離を残すために打つべき方向を容易に決定できる。
【００２８】
また、目安線群36と飛距離予想線群26を組み合わせて見れば、フェアウェイの真ん中を狙って１００ヤード地点を狙おうとすれば、２番アイアン２Ｉで打つとグリーンＧ側へ接近し過ぎてしまうことがわかる。３番アイアン３Ｉで打てば、フェアウェイの真ん中でかつプレイヤの得意な１００Ｙ地点にボールを到達させるのに最適なことが分かる。即ち、得意な距離を残すために使用すべき番手24を容易に決定できる。特に、攻略地点29が他の到達予測地点25と異なる色や点灯又は点滅で表示されると、より明確かつ迅速にプレイヤに視認させることができる。
【００２９】
ゴルフコースの攻略に於て、最も重要なグリーンオンへのアプローチショットを、得意な距離を残した位置から打つことができ、スコアの向上に貢献する。また、得意な位置から打つために、コースをどのように攻めるかを決定する判断が迅速かつ容易に行われ、ゴルフプレイが円滑に進行する。
【００３０】
なお、攻略目安線33は、図２乃至図４に示した１００ヤード、１５０ヤード、２００ヤードというように３本の円弧線で示した場合に限らず、操作部３を所定操作すると、表示する攻略目安線33の本数の増減や、面重心地点31からの距離を所望の距離（入力した得意な距離）で表示することが可能である。
【００３１】
なお、本発明は、設計変更可能であって、表示又は入力する距離の単位はメートルでも良い。操作部３をディスプレイ面２に対応するタッチパネル方式とするも良い。また、使用者が一方向に端末10を向けて立っている状態から、端末10を他方向に向けると、レイアウト図20を回転や移動させて方向直線22が端末10の向いている方向を表示するように設けても良い。つまり、方向直線22を所定の一方向に固定したかのように表示させ、レイアウト図20側を回転や移動させて表示しても良い。また、操作部３の操作によって、図２乃至図４に示した固定されたレイアウト図20を表示する内容と、レイアウト図20を回転・移動させて表示する内容と、に切り換えて表示可能に設けても良い。また、方向直線22を、ディスプレイ面２に表示させなくとも良い。
なお、測位衛星とは、ＧＰＳ、Ｇａｌｉｌｅｏ、ＧＬＯＮＡＳＳ、ＳＡＢＡＳ、等の測位人工衛星である。
【００３２】
以上のように、本発明のゴルフプレイ支援装置は、ゴルフプレイヤが携帯する端末10を備え、端末10は、ゴルフコースのレイアウト図20と、レイアウト図20内のグリーンＧの面重心地点31を中心点とした円弧状の攻略目安線33と、を表示するディスプレイ面２を具備するので、グリーン近傍の、どの辺りにボールを到達させれば、自分の得意な距離を残せ、次のグリーンオンを狙うショット（アプローチショット）が有利になるかを知ることができる。戦略の決定を容易かつ迅速におこなうことができ、ゴルフプレイを円滑に進行させることができる。ゴルフのスコア向上に貢献できる。また、ピン位置を中心点とせず、面重心地点31を中心点とするのでピン位置が変更されているような場合でもデータの書き換えが必要なくプレイヤの負担を軽減できる。
【００３３】
また、ディスプレイ面２は、面重心地点31からの距離が相違する複数の攻略目安線33，33，33を表示し、複数の攻略目安線33，33，33をもって目安線群36を形成したので、グリーンＧの近傍にボールを到達させるべき場所を検討する際に、多数箇所の検討を容易かつ迅速に行わせることができる。ゴルフプレイヤの好みに応じた戦略を支援できる。グリーンの面重心地点31から距離をより細かく知ることができ、コースのどの辺りにボールを到達させるべきが一目で視認させることができる。
【００３４】
また、ディスプレイ面２は、レイアウト図20上に、目安線群36と、ゴルフプレイヤの現在地点21と、そのプレイヤのゴルフクラブの番手24毎のボール到着予測位置を現在地点21を中心点として同心円弧状に表示した飛距離予想線群26と、を表示するので、どの番手24でグリーンＧ近傍のどの辺りを狙えば、次のグリーンオンを狙うショット（アプローチショット）が有利になるかを知ることができる。戦略の決定を容易かつ迅速におこなうことができ、ゴルフプレイを円滑に進行させることができる。ゴルフのスコア向上に貢献できる。グリーンＧの面重心地点31からの距離と番手と飛距離といった多数の組合せを考える必要のあるコースの戦略（攻略）を一目でプレイヤに視認させ、直感的に戦略を決定させることができる。
【符号の説明】
【００３５】
２  ディスプレイ面
10  端末
20  レイアウト図
21  現在地点
23  飛距離予想線
24  番手
26  飛距離予想線群
31  面重心地点
33  攻略目安線
36  攻略目安線群
Ｇ  グリーン
【図１】
2011258066.tif 000003
【図２】
2011258066.tif 000004
【図３】
2011258066.tif 000005
【図４】
2011258066.tif 000006